(57)【要約】【課題】全てのファイルにプロテクトを設定する場合に、設定時間を短縮する。【解決手段】デジタルカメラは、記録媒体2内の全てのファイルにリードオンリーである旨の一括プロテクトを設定可能なシステムコントローラ3を具えている。システムコントローラ3は、既に一括プロテクトが設定されたファイルを検索する第１の選別機能と、該一括プロテクトが設定済みのファイルを除いた残りのファイルを検索する第２の選別機能と、該残りのファイルに一括プロテクトを設定する機能を具えている。【選択図】図２
2005174065.tif 000002
【特許請求の範囲】
【請求項１】
記録媒体(２)内の全てのファイルにリードオンリーである旨の一括プロテクトを設定可能なシステムコントローラ(３)を具えた情報記録機器に於いて、
システムコントローラ(３)は、既に一括プロテクトが設定されたファイルを検索する第１の選別機能と、該一括プロテクトが設定済みのファイルを除いた残りのファイルを検索する第２の選別機能と、該残りのファイルに一括プロテクトを設定する機能を具えたことを特徴とする情報記録機器。
【請求項２】
既に一括プロテクトが設定済みのファイルを除いた残りのファイル検索は、一括プロテクトが設定済みのファイルの最大番号よりも大きなファイル番号を検索することにより行う請求項１に記載の情報記録機器。
【請求項３】
一括プロテクトが設定済みのファイルの最大番号は、システムコントローラ(３)のメモリ領域(30)、記録媒体(２)又はシステムコントローラ(３)に操作信号を入力する操作釦に付随したサブメモリ(15)の何れかに格納される請求項２に記載の情報記録機器。
【請求項４】
記録媒体(２)内の全てのファイルにリードオンリーである旨の一括プロテクトを設定可能な情報記録機器のプロテクト設定方法であって、
記録媒体(２)内にて、既に一括プロテクトが設定されたファイルを検索する工程と、
該一括プロテクトが設定済みのファイルを除いた残りのファイルを検索する工程と、該残りのファイルに一括プロテクトを設定する工程を具えたプロテクト設定方法。
【発明の詳細な説明】
【技術分野】
【０００１】
本発明は、誤消去プロテクト機能を有する情報記録機器及びプロテクト設定方法に関し、情報記録機器は、具体的にはデジタルカメラである。
【背景技術】
【０００２】
デジタルカメラにあっては、撮像により得られた画像信号をデジタル化して、メモリカード等の記録媒体に格納する。
画像データは、記録媒体内にて、ファイル毎に記録される。ファイルは、記録媒体内の単位領域を複数連ねて構成される。ファイル(６)は、図７に示すように、デジタル化された画像データが格納されるデータ領域(60)の他に、ファイル番号等が記録されるディレクトリ(61)、撮像日時、記録媒体内の単位領域が連ねられた順番が記録されたＦＡＴ(File Allocation Table)(62)にて構成される。
画像データがデジタル化されて記録されているから、該画像データを容易に消去できる。このため、誤操作により必要な画像データを不用意に消去する虞れがある。そこで、ファイルにプロテクトを設定し、不用意に消去操作を行っても、削除されることを防ぐ技術が知られている(例えば、特許文献１参照)。プロテクトが設定されると、該ファイルがリードオンリーで書き換えができない旨のフラグがＦＡＴ(62)内に格納される。
以下に、プロテクトを設定する手順を示す。図４は、デジタルカメラ(１)の背面図である。カメラ本体(10)には、周知の如く、液晶パネル(11)、シャッタ釦(12)、プロテクト設定釦(13)、メニュー操作釦(14)が設けられ、メモリカードである記録媒体(２)が着脱自在に嵌まる。
液晶パネル(11)に記録媒体(２)内の撮像画像が表示された状態で、プロテクト設定釦(13)を押すと、図５に示すように、プロテクトを設定可能な旨のメニューが表示される。メニュー操作釦(14)を操作して、プロテクトを設定する旨を選択すると、図６に示すように、全ての画像、即ちファイルにプロテクトを設定するか、液晶パネル(11)に表示されている画像１枚のみにプロテクトを設定するかを選択すべき旨が表示される。
【０００３】
【特許文献１】特許３１６６１６４号公報
【発明の開示】
【発明が解決しようとする課題】
【０００４】
全てのファイルにプロテクトを設定する(以下、「一括プロテクト」と呼ぶ)場合には、ファイル１枚毎のプロテクト設定を全ファイルについて繰り返し行う。ところが、実際には、一括プロテクトが設定された後に、同じ記録媒体(２)にファイルを引き続いて記録する場合がある。
かかる場合に新たなファイルも含めて一括プロテクトを設定する場合には、既に一括プロテクトが設定されている画像にも、再度プロテクトを設定している。
具体的には、図８のフローチャートに示すように、既にプロテクトが設定されたか否かに拘わらず、記録媒体(２)内の全てのファイルから、最後のファイルの番号ＮＵＭを取得する(Ｓ20、Ｓ21)。最初のファイルの番号ｎｕｍを取得して該ファイルが正常であることを確認してから(Ｓ22、Ｓ23)、該ファイルにプロテクトを設定する(Ｓ24)。次のファイルを取得して、同様にプロテクトを設定し、これを最後のファイル番号ＮＵＭになるまで繰り返す(Ｓ25、Ｓ26)。
従って、既にプロテクトが設定されたファイルにも再度プロテクトを設定しているから、プロテクト設定に無駄な時間が掛かる。即ち、プロテクト設定時間が長い問題があった。
本発明の目的は、全てのファイルにプロテクトを設定する場合に、設定時間を短縮することにある。
【課題を解決するための手段】
【０００５】
記録媒体(２)内の全てのファイルにリードオンリーである旨の一括プロテクトを設定可能なシステムコントローラ(３)を具えた情報記録機器に於いて、
システムコントローラ(３)は、既に一括プロテクトが設定されたファイルを検索する第１の選別機能と、該一括プロテクトが設定済みのファイルを除いた残りのファイルを検索する第２の選別機能と、該残りのファイルに一括プロテクトを設定する機能を具えている。
【発明の効果】
【０００６】
本発明にあっては、記録媒体(２)内にて、既に一括プロテクトが設定されたファイルを検索し、該一括プロテクトが設定済みのファイルを除いた残りのファイルに一括プロテクトを設定する。従って、重ねてプロテクトを設定する手間が省け、プロテクト設定時間を従来よりも短縮することができる。
【発明を実施するための最良の形態】
【０００７】
以下、本発明の一実施例を図を用いて説明する。
デジタルカメラの全体形状は、従来と同様である。本例にあっては、一括プロテクトの設定動作に特徴がある。
図１は、本例のデジタルカメラ(１)の内部ブロック図である。ズーム光学系として構成されたレンズユニット(４)は、ＣＣＤ(40)に接続され、レンズユニット(４)からの被写体画像は該ＣＣＤ(40)によって光電変換されてアナログ信号として出力される。該アナログ信号は、撮像回路(41)により画像処理された後に、Ａ／Ｄコンバータ(42)によりデジタル信号に変換されてバスライン(43)を介してシステムコントローラ(３)に入力される。バスライン(43)には、ビデオ回路(44)を介して前記液晶パネル(11)が接続される。バスライン(43)には、またメモリインターフェイス回路(50)を介して、カードスロット(５)が接続され、該カードスロット(５)に記録媒体(２)が着脱自在に挿入される。記録媒体(２)内の画像は、液晶パネル(11)に表示される。
【０００８】
記録媒体(２)内には、従来と同様に、複数のファイルが格納可能であり、先頭のファイルの番号は０である。
システムコントローラ(３)には、メニュー操作釦(14)、プロテクト設定釦(13)が接続され、両釦(13)(14)にはサブメモリ(15)が接続されている。システムコントローラ(３)内には、動作プログラムが格納されたメモリ領域(30)が設けられている。一括プロテクトが設定されると、その旨及び最後のファイルの番号、該最後のファイルのタイムスタンプ情報が、メモリ領域(30)に格納される。
【０００９】
以下に、本例に於ける一括プロテクト動作を、図２及び図３のフローチャートを用いて説明する。
先ず、システムコントローラ(３)は、プロテクトを設定する対象となるファイルがあるか否かを検索する(Ｓ1)。ファイルが無ければ動作を終了し、ファイルがあれば最後のファイルの番号ＮＵＭを検索する(Ｓ2)。
次に、システムコントローラ(３)のメモリ領域(30)から、既に一括プロテクトが設定されたか否かを検出する(Ｓ3)。既に一括プロテクトが設定されていれば、前回のプロテクト設定が妥当であったか否かを検索する(Ｓ4)。前回のプロテクト設定が妥当であったか否かは、メモリ領域(30)から取得したファイル番号とタイムスタンプ情報が、記録媒体(２)内の同一ファイル番号のデータと一致しているか否かに基づく。
【００１０】
このように、前回のプロテクト設定が妥当であったかを判断するのは、一括プロテクトが設定されてから、電源を遮断し、記録媒体(２)が交換されることがあるからである。換言すれば、メモリ領域(30)から取得したファイル番号とタイムスタンプ情報が、記録媒体(２)内の同一ファイル番号のデータと一致していなければ、記録媒体(２)が交換された可能性が高い。
前回のプロテクト設定が妥当であれば、既にプロテクトが設定されたファイルの最大番号ｄｍをメモリ領域(30)から取得する(Ｓ5)。記録媒体(２)が交換された、又は記録媒体(２)が交換されていないが以前一括プロテクトが設定されていなければ、先頭番号である０のファイルからプロテクトを設定する(Ｓ6)。
【００１１】
次に、一括プロテクトを設定するに当たり、プロテクト設定を行う最初のファイルの番号ｎｕｍを設定する(Ｓ7)。即ち、既に一括プロテクトが設定されていれば、プロテクト設定を行う最初のファイル番号ｎｕｍは、既にプロテクトが設定されたファイルの最大番号ｄｍの次の番号である。
記録媒体(２)が交換された、又は記録媒体(２)が交換されていないが以前一括プロテクトが設定されていなければ、プロテクト設定を行う最初のファイル番号ｎｕｍは、先頭のファイル番号０である。
【００１２】
プロテクトを設定すべきファイルが正常であることを確認してから(Ｓ8)、該ファイルにプロテクトを設定する、即ちリードオンリーである旨のフラグを立てる(Ｓ9)。次の番号のファイルを取得して、同様にプロテクトを設定するとともに、ファイル番号ｎｕｍを更新する(Ｓ10)。仮に、プロテクトを設定すべきファイルが不良であれば、次の番号のファイルを取得して(Ｓ10)、プロテクトを設定する。
この動作を繰り返し、ファイル番号ｎｕｍがステップＳ2にて取得した最後のファイルの番号ＮＵＭに達すれば(Ｓ11)、一括プロテクトを実行した旨及び最後のファイル番号ＮＵＭを、システムコントローラ(３)のメモリ領域(30)に格納する(Ｓ12)。尚、メモリ領域(30)に代えて、サブメモリ(15)や記録媒体(２)内に格納してもよい。
新たに画像を撮像し、記録媒体(２)内に更にファイルを作成した場合は、上記の動作を行う。
【００１３】
本例にあっては、記録媒体(２)内にて、既に一括プロテクトが設定されたファイルを検索し、該一括プロテクトが設定済みのファイルを除いた残りのファイルに一括プロテクトを設定する。従って、重ねてプロテクトを設定する手間が省け、プロテクト設定時間を従来よりも短縮することができる。
【００１４】
上記例にあっては、ファイルは画像データであるとしたが、音声データであってもよい。また、画像データは、静止画像と動画画像の両方を含む。更に、情報記録機器として、デジタルカメラを例示したが、例えばボイスレコーダやパーソナルコンピュータのような他の情報記録機器であってもよい。
更に記録媒体(２)は交換可能なメモリカードであるとしたが、カメラ本体(10)に内蔵されたフラッシュメモリであってもよい。
【００１５】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【００１６】
【図１】本例のデジタルカメラの内部ブロック図である。
【図２】一括プロテクト動作を示すフローチャートである。
【図３】一括プロテクト動作を示すフローチャートである。
【図４】デジタルカメラの背面図である。
【図５】液晶パネルの表示画面を示す背面図である。
【図６】液晶パネルの表示画面を示す背面図である。
【図７】ファイルの構造を示す図である。
【図８】従来のデジタルカメラの一括プロテクト動作を示すフローチャートである。
【符号の説明】
【００１７】
(１)  デジタルカメラ
(２)  記録媒体
(３)  システムコントローラ
(15)  サブメモリ
(30)  メモリ領域
【図１】
2005174065.tif 000003
【図２】
2005174065.tif 000004
【図３】
2005174065.tif 000005
【図４】
2005174065.tif 000006
【図５】
2005174065.tif 000007
【図６】
2005174065.tif 000008
【図７】
2005174065.tif 000009
【図８】
2005174065.tif 000010